【手続補正書】
【提出日】平成23年10月19日(2011.10.19)
【手続補正１】
【補正対象書類名】特許請求の範囲
【補正対象項目名】全文
【補正方法】変更
【補正の内容】
【特許請求の範囲】
【請求項１】
寒剤ボトルを含む凍結手術装置のための容器であって、
該寒剤ボトルを保持するように構成される内部空間を含む容器本体と、該容器本体に機械的に連結される弁作動組立体であって、該寒剤ボトル上の弁を作動させるように構成される、弁作動組立体と、該弁作動組立体に対して配置される貯蔵部であって、それにより、該寒剤ボトル上の該弁が該弁作動組立体を使用して作動させられる際に、該貯蔵部は該寒剤ボトルから冷媒を受領する、貯蔵部とを備える、容器。
【請求項２】
前記貯蔵部は、前記弁作動組立体の下に位置する、請求項１に記載の容器。
【請求項３】
基部であって、前記弁作動組立体および前記貯蔵部は、該基部の一体的な部品である、基部と、該基部とともに閉鎖体積を形成するように構成されるカバーとをさらに備え、該閉鎖体積は、前記寒剤ボトルを収容することに対して十分大きい寸法を有する、請求項１に記載の容器。
【請求項４】
前記基部の幅および深さは、前記寒剤ボトルの直径および前記弁作動組立体の直径よりも実質的に大きい、請求項３に記載の容器。
【請求項５】
前記基部は、前記寒剤ボトルがその中に載置され得る第１の窪み部を含む、請求項３に記載の容器。
【請求項６】
前記第１の窪み部は、略裁頭円錐状である、請求項５に記載の容器。
【請求項７】
前記第１の窪み部は、略円形の底部を有し、かつ、前記寒剤ボトルが該第１の窪み部に載置されると、該寒剤ボトルは、垂直位置から後方に傾くように配向される、請求項６に記載の容器。
【請求項８】
前記基部は、前記寒剤ボトルのための塗布器チューブを受容するように構成される第２の窪み部を含む、請求項３に記載の容器。
【請求項９】
前記基部は、前記第２の窪み部に隣接する第３の窪み部を含む、請求項３に記載の容器。
【請求項１０】
前記基部は、長楕円形スロットの形状を有する第４の窪み部を含む、請求項３に記載の容器。
【請求項１１】
寒剤ボトルと、該寒剤ボトルを保持する容器と、該容器に機械的に連結される弁作動組立体とを備え、該弁作動組立体は、該寒剤ボトル上の弁を作動させるように構成される、凍結手術キット。
【請求項１２】
前記容器は、基部をさらに備え、前記弁作動組立体は、該基部の一体的な部品である、請求項１１に記載の凍結手術キット。
【請求項１３】
前記容器に連結される液体格納貯蔵部であって、該貯蔵部は、前記弁作動組立体に対して配置されることにより、前記寒剤ボトル上の前記弁が該弁作動組立体を使用して作動させられる際に、該貯蔵部が該寒剤ボトルから寒剤を受領する、貯蔵部をさらに備える、請求項１１に記載の凍結手術キット。
【請求項１４】
前記長方形形状の窪み部に位置する複数の塗布器先端と、前記スロット形状の窪み部に位置する情報冊子とをさらに備える、請求項１１に記載の凍結手術キット。
【請求項１５】
凍結手術キットのための容器であって、
複数のキット構成要素を保持するように構成される基部手段と、寒剤ボトルを作動させる作動器手段であって、該容器の一体型構成要素として形成される、作動器手段と、該寒剤ボトルが該作動器手段によって作動させられる際に、該寒剤ボトルから冷媒を受領する貯蔵部手段とを備える、容器。
【請求項１６】
前記基部手段とともに閉鎖体積を形成する透明なカバー手段をさらに備え、該閉鎖体積は、前記複数のキット構成要素を収容する、請求項１５に記載の容器。
【請求項１７】
寒剤ボトルを含む凍結手術装置のための容器であって、
該寒剤ボトルを保持することに対して十分大きい内部空間を含む容器本体と、
該容器本体に機械的に連結される弁作動組立体であって、該寒剤ボトル上の弁を作動させるように構成される、弁作動組立体と、
該弁作動組立体に対して配置される貯蔵部であって、それにより、該寒剤ボトル上の該弁が該弁作動組立体を使用して作動させられる際に、該貯蔵部が該寒剤ボトルから冷媒を受領する、貯蔵部と、
基部であって、該弁作動組立体および該貯蔵部が該基部の一体的な部品である、基部と、
該基部とともに閉鎖体積を形成するように構成されるカバーであって、該閉鎖体積は、該寒剤ボトルを収容することに対して十分大きい寸法を有する、カバーと
を備えており、
該貯蔵部は、該弁作動組立体の下に位置し、該基部は、該寒剤ボトルがその中に載置され得る第１の窪み部を含み、該第１の窪み部は、略裁頭円錐状であり、該第１の窪み部は、略円形底部を有し、該寒剤ボトルが該第１の窪み部に載置されると、該寒剤ボトルが垂直位置から後方に傾くように配向され、該基部は、塗布器チューブがその中に格納され得る第２の窪み部を含み、該第２の窪みは、略長方形−角柱の形状を有し、該基部は、ドアであって、該ドアが閉鎖位置にあると、該第２の窪み部を閉鎖する、ドアを含み、該カバーは、実質的に透明であり、該基部は、該第２の窪み部に隣接する第３の窪み部を含み、該第３の窪み部は、略弓形状を有し、該基部は、長楕円形スロットの形状を有する第４の窪み部を含む、容器。
【請求項１８】
凍結手術キットであって、
寒剤ボトルと、該寒剤ボトルを保持する容器と、該容器に機械的に連結される弁作動組立体であって、該寒剤ボトル上の弁を作動させるように構成される、弁作動組立体と、該容器に連結される液体格納貯蔵部であって、該貯蔵部が前記弁作動組立体に対して配置されることにより、該寒剤ボトル上の該弁が該弁作動組立体を使用して作動させられる際に、該貯蔵部が該寒剤ボトルから冷媒を受領する、貯蔵部と、基部に連結される透明なカバーと、複数の塗布器先端と、情報冊子とを備え、該容器は、基部をさらに備え、該弁作動組立体は、該基部の一体的な部品であり、該貯蔵部は、該基部の一体的な部品であり、該基部は、裁頭円錐形状の窪み部と、実質的に透明なドアを有する長方形−角柱形状の窪み部と、スロット形状の窪み部とを含み、該寒剤ボトルは、該裁頭円錐形状の窪み部に位置し、該複数の塗布器先端は、該長方形−形状の窪み部に位置し、該情報冊子は、該スロット形状の窪み部に位置する、キット。
【手続補正２】
【補正対象書類名】明細書
【補正対象項目名】０００５
【補正方法】変更
【補正の内容】
【０００５】
例えば、本発明は、寒剤ボトルを含む凍結手術装置のための容器であって、該寒剤ボトルを保持するように構成される内部空間を含む容器本体と、該容器本体に機械的に連結される弁作動組立体であって、該寒剤ボトル上の弁を作動させるように構成される、弁作動組立体と、該弁作動組立体に対して配置される貯蔵部であって、それにより、該寒剤ボトル上の該弁が該弁作動組立体を使用して作動させられる際に、該貯蔵部は該寒剤ボトルから冷媒を受領する、貯蔵部とを備える、容器を提供する。
例えば、本発明は以下の項目を提供する。
（項目１）
寒剤ボトルを含む凍結手術装置のための容器であって、
該寒剤ボトルを保持するように構成される内部空間を含む容器本体と、該容器本体に機械的に連結される弁作動組立体であって、該寒剤ボトル上の弁を作動させるように構成される、弁作動組立体と、該弁作動組立体に対して配置される貯蔵部であって、それにより、該寒剤ボトル上の該弁が該弁作動組立体を使用して作動させられる際に、該貯蔵部は該寒剤ボトルから冷媒を受領する、貯蔵部とを備える、容器。
（項目２）
上記貯蔵部は、上記弁作動組立体の下に位置する、項目１に記載の容器。
（項目３）
基部であって、上記弁作動組立体および上記貯蔵部は、該基部の一体的な部品である、基部と、該基部とともに閉鎖体積を形成するように構成されるカバーとをさらに備え、該閉鎖体積は、上記寒剤ボトルを収容することに対して十分大きい寸法を有する、項目１に記載の容器。
（項目４）
上記基部の幅および深さは、上記寒剤ボトルの直径および上記弁作動組立体の直径よりも実質的に大きい、項目３に記載の容器。
（項目５）
上記基部は、上記寒剤ボトルがその中に載置され得る第１の窪み部を含む、項目３に記載の容器。
（項目６）
上記第１の窪み部は、略裁頭円錐状である、項目５に記載の容器。
（項目７）
上記第１の窪み部は、略円形の底部を有し、かつ、上記寒剤ボトルが該第１の窪み部に載置されると、該寒剤ボトルは、垂直位置から後方に傾くように配向される、項目６に記載の容器。
（項目８）
上記基部は、上記寒剤ボトルのための塗布器チューブを受容するように構成される第２の窪み部を含む、項目３に記載の容器。
（項目９）
上記第２の窪み部は、略長方形の角柱形状を有する、項目８に記載の容器。
（項目１０）
上記基部は、ドアを含み、該ドアが閉鎖位置にあると、該ドアは上記第２の窪み部を閉鎖する、項目９に記載の容器。
（項目１１）
上記カバーは、実質的に透明である、項目３に記載の容器。
（項目１２）
上記基部は、上記第２の窪み部に隣接する第３の窪み部を含む、項目９に記載の容器。
（項目１３）
上記第３の窪み部は、略弓形状を有する、項目１２に記載の容器。
（項目１４）
上記基部は、長楕円形スロットの形状を有する第４の窪み部を含む、項目３に記載の容器。
（項目１５）
寒剤ボトルと、該寒剤ボトルを保持する容器と、該容器に機械的に連結される弁作動組立体とを備え、該弁作動組立体は、該寒剤ボトル上の弁を作動させるように構成される、凍結手術キット。
（項目１６）
上記容器は、基部をさらに備え、上記弁作動組立体は、該基部の一体的な部品である、項目１５に記載の凍結手術キット。
（項目１７）
上記容器に連結される液体格納貯蔵部であって、該貯蔵部は、上記弁作動組立体に対して配置されることにより、上記寒剤ボトル上の上記弁が該弁作動組立体を使用して作動させられる際に、該貯蔵部が該寒剤ボトルから寒剤を受領する、貯蔵部をさらに備える、項目１５に記載の凍結手術キット。
（項目１８）
上記貯蔵部は、上記基部の一体的な部品である、項目１６に記載の凍結手術キット。
（項目１９）
上記基部に連結される透明なカバーをさらに備える、項目１６に記載の凍結手術キット。
（項目２０）
上記基部は、裁頭円錐形状の窪み部と、実質的に透明なドアを有する長方形−角柱形状の窪み部と、スロット形状の窪み部とを含む、項目１６に記載の凍結手術キット。
（項目２１）
上記寒剤ボトルは、上記裁頭円錐形状の窪み部に位置する、項目２０に記載の凍結手術キット。
（項目２２）
上記長方形形状の窪み部に位置する複数の塗布器先端と、上記スロット形状の窪み部に位置する情報冊子とをさらに備える、項目２０に記載の凍結手術キット。
（項目２３）
凍結手術キットのための容器であって、
複数のキット構成要素を保持するように構成される基部手段と、寒剤ボトルを作動させる作動器手段であって、該容器の一体型構成要素として形成される、作動器手段と、該寒剤ボトルが該作動器手段によって作動させられる際に、該寒剤ボトルから冷媒を受領する貯蔵部手段とを備える、容器。
（項目２４）
上記基部手段とともに閉鎖体積を形成する透明なカバー手段をさらに備え、該閉鎖体積は、上記複数のキット構成要素を収容する、項目２３に記載の容器。
（項目２５）
寒剤ボトルを含む凍結手術装置のための容器であって、
該寒剤ボトルを保持することに対して十分大きい内部空間を含む容器本体と、
該容器本体に機械的に連結される弁作動組立体であって、該寒剤ボトル上の弁を作動させるように構成される、弁作動組立体と、
該弁作動組立体に対して配置される貯蔵部であって、それにより、該寒剤ボトル上の該弁が該弁作動組立体を使用して作動させられる際に、該貯蔵部が該寒剤ボトルから冷媒を受領する、貯蔵部と、
基部であって、該弁作動組立体および該貯蔵部が該基部の一体的な部品である、基部と、
該基部とともに閉鎖体積を形成するように構成されるカバーであって、該閉鎖体積は、該寒剤ボトルを収容することに対して十分大きい寸法を有する、カバーと
を備えており、
該貯蔵部は、該弁作動組立体の下に位置し、該基部は、該寒剤ボトルがその中に載置され得る第１の窪み部を含み、該第１の窪み部は、略裁頭円錐状であり、該第１の窪み部は、略円形底部を有し、該寒剤ボトルが該第１の窪み部に載置されると、該寒剤ボトルが垂直位置から後方に傾くように配向され、該基部は、塗布器チューブがその中に格納され得る第２の窪み部を含み、該第２の窪みは、略長方形−角柱の形状を有し、該基部は、ドアであって、該ドアが閉鎖位置にあると、該第２の窪み部を閉鎖する、ドアを含み、該カバーは、実質的に透明であり、該基部は、該第２の窪み部に隣接する第３の窪み部を含み、該第３の窪み部は、略弓形状を有し、該基部は、長楕円形スロットの形状を有する第４の窪み部を含む、容器。
（項目２６）
凍結手術キットであって、
寒剤ボトルと、該寒剤ボトルを保持する容器と、該容器に機械的に連結される弁作動組立体であって、該寒剤ボトル上の弁を作動させるように構成される、弁作動組立体と、該容器に連結される液体格納貯蔵部であって、該貯蔵部が上記弁作動組立体に対して配置されることにより、該寒剤ボトル上の該弁が該弁作動組立体を使用して作動させられる際に、該貯蔵部が該寒剤ボトルから冷媒を受領する、貯蔵部と、基部に連結される透明なカバーと、複数の塗布器先端と、情報冊子とを備え、該容器は、基部をさらに備え、該弁作動組立体は、該基部の一体的な部品であり、該貯蔵部は、該基部の一体的な部品であり、該基部は、裁頭円錐形状の窪み部と、実質的に透明なドアを有する長方形−角柱形状の窪み部と、スロット形状の窪み部とを含み、該寒剤ボトルは、該裁頭円錐形状の窪み部に位置し、該複数の塗布器先端は、該長方形−形状の窪み部に位置し、該情報冊子は、該スロット形状の窪み部に位置する、キット。